(57)【要約】【課題】限られたスペースの中でシャッタ羽根をスムーズに駆動することができるコンパクトな構成のカメラ用シャッタ機構を提供する。【解決手段】光路となる開口部１０ａを有する地板１０と、開口部１０ａを開閉するように動作する複数のシャッタ羽根２１〜２６と、これらシャッタ羽根２１〜２６を動作させるために地板１０における開口部１０ａの外側に固定された駆動源３０とを備え、複数のシャッタ羽根２１〜２６のうち、一部のシャッタ羽根２４〜２６を、開口部１０ａを挟むようにして駆動源３０の反対側に収納するとともに、他の一部のシャッタ羽根２１〜２３を、前記一部のシャッタ羽根２４〜２６よりも駆動源３０に近い位置に収納するようにしたカメラ用シャッタ機構であって、駆動源３０に近い位置に収納されるシャッタ羽根の少なくとも一つが、他のシャッタ羽根２４〜２６を駆動する駆動係合部２３ｄを備えた駆動用シャッタ羽根２３であることを特徴とするカメラ用シャッタ機構である。【選択図】図１
2012078502.tif 000002
【特許請求の範囲】
【請求項１】
光路となる開口部を有する地板と、前記開口部を開閉するように動作する複数のシャッタ羽根と、これらシャッタ羽根を動作させるために前記地板における前記開口部の外側に固定された駆動源とを備え、前記複数のシャッタ羽根のうち、一部のシャッタ羽根を、前記開口部を挟むようにして前記駆動源の反対側に収納するとともに、他の一部のシャッタ羽根を、前記一部のシャッタ羽根よりも前記駆動源に近い位置に収納するようにしたカメラ用シャッタ機構であって、
前記駆動源に近い位置に収納されるシャッタ羽根の少なくとも一つが、他のシャッタ羽根を駆動する駆動係合部を備えた駆動用シャッタ羽根であることを特徴とするカメラ用シャッタ機構。
【請求項２】
前記地板を、矩形状の前記開口部を有する矩形板状に形成し、この地板の一辺部側に、前記駆動源を配置するとともに、前記開口部を挟むようにして前記駆動源の反対側となる他の一辺部側に、前記一部のシャッタ羽根を収納するようにしたことを特徴とする請求項１記載のカメラ用シャッタ機構。
【請求項３】
前記駆動用シャッタ羽根は、他のシャッタ羽根よりも肉厚に形成されていることを特徴とする請求項１又は２記載のカメラ用シャッタ機構。
【請求項４】
前記駆動用シャッタ羽根が、前記駆動源による駆動力を受けて回動しながら、前記駆動源の反対側に収納される前記シャッタ羽根のうちの少なくとも一つを駆動するようにしたことを特徴とする請求項１ないし３のいずれかに記載のカメラ用シャッタ機構。
【請求項５】
前記駆動用シャッタ羽根が、前記駆動源による駆動力を受けて回動しながら、前記駆動源に近い位置に収納される他のシャッタ羽根のうちの少なくとも一つを駆動するとともに、前記駆動源による駆動力を受けて回動する作動杆が、前記駆動源の反対側に収納される前記シャッタ羽根のうちの少なくとも一つを駆動するようにしたことを特徴とする請求項１ないし３いずれかに記載のカメラ用シャッタ機構。
【発明の詳細な説明】
【技術分野】
【０００１】
本発明は、光路となる開口部をシャッタ羽根によって開閉するようにしたカメラ用シャッタ機構に関するものである。
【背景技術】
【０００２】
従来、この種のシャッタ機構には、露光用の開口部を有する地板、前記開口部を開閉するように動作する複数のシャッタ羽根、これらシャッタ羽根を開閉駆動するように揺動する開閉レバー、レンズ鏡筒を光軸に沿って進退させるカムリング、前記開閉レバー及び前記カムリングを駆動するための駆動モータ等、を具備したものがある（例えば、特許文献１参照）。
この従来のシャッタ機構によれば、長尺な開閉レバーを揺動させてシャッタ羽根を開閉動作するようにしているため、シャッタ羽根を駆動モータによって直接開閉するようにした構造と比較し、シャッタ羽根の動作ストロークを大きく確保することができる。
【０００３】
しかしながら、近年では、カメラの小型化に伴い、大きな開口面積を損なわずに外形寸法を小さくしたシャッタ機構が求められており、そのためには、前記開閉レバーや前記カムリング等の駆動スペースを極力少なくすることが望まれる。
特に、光路となる開口部を複数のシャッタ羽根により開閉するようにしたシャッタ装置では、前記複数のシャッタ羽根同士の重なり合いや、シャッタ羽根と駆動モータとの重なり合い、シャッタ羽根と開閉レバーとの重なり合い等により、シャッタ機構の厚みが増大する場合があり、このような厚みの増大を抑制できる構造が望まれる。
【先行技術文献】
【特許文献】
【０００４】
【特許文献１】実開平６−１５０４２号公報
【発明の概要】
【発明が解決しようとする課題】
【０００５】
本発明は上記従来事情にかんがみてなされたものであり、その課題とするところは、限られたスペースの中でシャッタ羽根をスムーズに駆動することができるコンパクトな構成のカメラ用シャッタ機構を提供することにある。
【課題を解決するための手段】
【０００６】
上記課題を解決するための技術的手段は、光路となる開口部を有する地板と、前記開口部を開閉するように動作する複数のシャッタ羽根と、これらシャッタ羽根を動作させるために前記地板における前記開口部の外側に固定された駆動源とを備え、前記複数のシャッタ羽根のうち、一部のシャッタ羽根を、前記開口部を挟むようにして前記駆動源の反対側に収納するとともに、他の一部のシャッタ羽根を、前記一部のシャッタ羽根よりも前記駆動源に近い位置に収納するようにしたカメラ用シャッタ機構であって、前記駆動源に近い位置に収納されるシャッタ羽根の少なくとも一つが、他のシャッタ羽根を駆動する駆動係合部を備えた駆動用シャッタ羽根であることを特徴とする。
【０００７】
特に、矩形状のカメラに対しコンパクトに収納可能な態様としては、前記地板を、矩形状の前記開口部を有する矩形板状に形成し、この地板の一辺部側に、前記駆動源を配置するとともに、前記開口部を挟むようにして前記駆動源の反対側となる他の一辺部側に、前記一部のシャッタ羽根を収納する。
【０００８】
また、耐久性を向上する観点から、前記駆動用シャッタ羽根は、他のシャッタ羽根よりも肉厚に形成されていることが好ましい。
【０００９】
また、分散配置されたシャッタ羽根を省スペースな構成で効率的に駆動できるようにした好ましい態様としては、前記駆動用シャッタ羽根が、前記駆動源による駆動力を受けて回動しながら、前記駆動源の反対側に収納される前記シャッタ羽根のうちの少なくとも一つを駆動する構成とする。
【００１０】
また、他の好ましい態様としては、前記駆動用シャッタ羽根が、前記駆動源による駆動力を受けて回動しながら、前記駆動源に近い位置に収納される他のシャッタ羽根のうちの少なくとも一つを前記駆動係合部によって駆動するとともに、前記駆動源による駆動力を受けて回動する作動杆が、前記駆動源の反対側に収納される前記シャッタ羽根のうちの少なくとも一つを駆動する構成とする。
【発明の効果】
【００１１】
本発明によれば、複数のシャッタ羽根を分散して配置する構造であるため、シャッタ羽根同士の重なり合いや、シャッタ羽根と駆動源との重なり合い等により、当該シャッタ機構の厚みが増大するようなことを軽減することができる上、駆動用シャッタ羽根によって分散配置されたシャッタ羽根を効率的に駆動することができ、ひいては、限られたスペースの中でシャッタ羽根をスムーズに駆動することができるコンパクトな構成のカメラ用シャッタ機構を提供することができる。
【図面の簡単な説明】
【００１２】
【図１】本発明に係るカメラ用シャッタ機構の第１の実施形態を示す平面図であり、シャッタ羽根を全開した状態を示す。
【図２】同カメラ用シャッタ機構の第１の実施形態を示す平面図であり、シャッタ羽根を全閉した状態を示す。
【図３】駆動源の一例を示す平面図である。
【図４】第１の実施形態について、駆動源側に収納されるシャッタ羽根を示す平面図であり、（ａ）及び（ｂ）は駆動係合部を有さないシャッタ羽根を示し、（ｃ）は駆動係合部を有する駆動用シャッタ羽根を示す。
【図５】第１の実施形態について、駆動源の反対側に収納されるシャッタ羽根を示す平面図であり、いずれも駆動係合部を有さないシャッタ羽根を示す。
【図６】本発明に係るカメラ用シャッタ機構の第２の実施形態を示す平面図であり、シャッタ羽根を全開した状態を示す。
【図７】同カメラ用シャッタ機構の第２の実施形態を示す平面図であり、シャッタ羽根を全閉した状態を示す。
【図８】第２の実施形態について、駆動源側に収納されるシャッタ羽根を示す平面図であり、（ａ）は駆動係合部を有する駆動用シャッタ羽根を示し、（ｂ）（ｃ）は駆動係合部を有さないシャッタ羽根を示す。
【図９】第２の実施形態における作動杆を示す平面図である。
【発明を実施するための形態】
【００１３】
以下、本発明の実施の形態を図面に基づいて説明する。
図１〜５は、本発明に係るカメラ用シャッタ機構の第１の実施形態を示している。
このカメラ用シャッタ機構１は、露光用の開口部１０ａを有する地板１０と、前記開口部１０ａを開閉するように動作する複数のシャッタ羽根２１〜２６と、これらシャッタ羽根２１〜２６を動作させるために地板１０における開口部１０ａの外側に固定された駆動源３０（図３参照）とを備え、前記複数のシャッタ羽根２１〜２６のうち、一部のシャッタ羽根２４〜２６を、前記開口部１０ａを挟むようにして駆動源３０の反対側に収納するとともに、他の一部のシャッタ羽根２１〜２３を、前記一部のシャッタ羽根２４〜２６よりも駆動源３０に近い位置に収納するようにしており、駆動源３０に近い位置に収納されるシャッタ羽根２１〜２３のうちの一つが、他のシャッタ羽根を駆動する駆動係合部２３ｄを備えた駆動用シャッタ羽根２３となっている。
【００１４】
地板１０は、矩形板状を呈し、光軸となる中心線上に矩形状の開口部１０ａを有する。
この地板１０の一辺部側（図１によれば上辺部側）には、後に詳述する駆動源３０の駆動ピン３３ａ１を挿通するためのピン挿通孔１０ｂが貫通形成されている。このピン挿通孔１０ｂは、挿通した駆動ピン３３ａ１を、その挿通方向と直交する方向へ往復動可能な長孔であり、図示例によれば、開口部１０ａに対し接近離間する方向へ延びる円弧状に形成される。
さらに、地板１０における前記ピン挿通孔１０ｂの近傍には、シャッタ羽根２１〜２３をそれぞれ回転自在に装着するための円柱軸状の回転軸１１，１２，１３が突出形成されている。
また、地板１０において駆動源３０を有する一辺部側（図１によれば上辺部側）に直交する一辺部側（図１によれば右辺部側）には、シャッタ羽根２４〜２６をそれぞれ回転自在に装着するための円柱軸状の回転軸１４，１５，１６が突出形成されている。
【００１５】
複数（図示例によれば６枚）のシャッタ羽根２１〜２６の各々は、略Ｌ字形の薄板状に形成され、対応する前記回転軸１１〜１６に装着されることで、開口部１０ａを覆った閉鎖位置と、地板１０における開口部１０ａの周囲に収納された収納位置との間で回動するように保持される。
【００１６】
各シャッタ羽根について詳細に説明すれば、先ず、シャッタ羽根２１は、図４（ａ）に示すように、その一端側に、地板１０の回転軸１１に環状に装着される円形状の軸孔２１ａと、駆動源３０の駆動ピン３３ａ１に環状に装着されて駆動源３０による駆動力を受ける長孔状のピン孔２１ｂとを有し、他端側には、開口部１０ａを部分的に覆うように形成された閉鎖片部２１ｃを有する。
このシャッタ羽根２１は、他のシャッタ羽根２２〜２６の最下位（換言すれば、最も地板１０面の近く）に配置され、地板１０において駆動源３０を有する一辺部側に直交する一辺部側（図１によれば右辺部側）に収納される。
【００１７】
また、シャッタ羽根２２は、図４（ｂ）に示すように、一端側に回転軸１２に環状に装着される円形状の軸孔２２ａと駆動ピン３３ａ１に環状に装着される長孔状のピン孔２２ｂを有するとともに、他端側に、前記シャッタ羽根２１の閉鎖片部２１ｃよりも長尺な閉鎖片部２２ｃを有する。
このシャッタ羽根２２は、前記シャッタ羽根２１上に重なるようにして配置され、地板１０において駆動源３０を有する一辺部側に直交する一辺部側（図１によれば右辺部側）に収納される。
【００１８】
また、シャッタ羽根２３は、駆動源３０による駆動力を受けて回動しながら、開口部１０ａを挟むようにして駆動源３０の反対側に収納される他のシャッタ羽根２４〜２６を駆動する駆動用シャッタ羽根である。
このシャッタ羽根２３は、図４（ｃ）に示すように、一端側に閉鎖片部２３ｃを有するとともに、その他端側に他のシャッタ羽根２４〜２６を駆動する軸状の駆動係合部２３ｄを突設し、前記一端側と前記他端側の中間となる位置に、回転軸１３に環状に装着される円形状の軸孔２３ａと駆動ピン３３ａ１に環状に装着される長孔状のピン孔２３ｂを有する。
軸孔２３ａと駆動係合部２３ｄの距離は、軸孔２３ａとピン孔２３ｂの距離よりも大きく設定される。この構成によれば、駆動源３０の駆動ピン３３ａ１の変位量よりも、駆動係合部２３ｄの変位量を大きく確保することができる。
この駆動用シャッタ羽根２３は、他のシャッタ羽根２１〜２２，２４〜２６よりも肉厚に形成される。この構成によれば、駆動用シャッタ羽根２３の強度を向上し、当該カメラ用シャッタ機構１の耐久性を向上することができる。
そして、この駆動用シャッタ羽根２３は、前記シャッタ羽根２２上に重ねられ、地板１０における駆動源３０を有する一辺部側（図１によれば上辺部側）に収納される。
【００１９】
なお、シャッタ羽根２１〜２３の各ピン孔２１ｂ，２２ｂ，２３ｂは、シャッタ羽根２１〜２３の各々が駆動ピン３３ａ１の円弧状の往復運動に追従してスムーズに動作するように、駆動ピン３３ａ１の運動方向に交差する方向に長く形成されている。
【００２０】
また、シャッタ羽根２４は、前記駆動用シャッタ羽根２３により駆動されるシャッタ羽根であり、図５（ｄ）に示すように、一端側に、地板１０の回転軸１４に環状に装着される円形状の軸孔２４ａと、前記駆動用シャッタ羽根２３の駆動係合部２３ｄに環状に装着される湾曲長孔状の被係合部２４ｂとを有し、他端側には、開口部１０ａを部分的に覆うように形成された閉鎖片部２４ｃを有する。
このシャッタ羽根２４は、駆動用シャッタ羽根２３の前記他端側に重ねられ、開口部１０ａを挟んで駆動源３０の反対側となる地板１０の一辺部側（図１によれば下辺部側）に収納される。
【００２１】
シャッタ羽根２５は、図５（ｅ）に示すように、一端側に回転軸１５に環状に装着される円形状の軸孔２５ａと、前記駆動係合部２３ｄから駆動力を受ける長孔状の被係合部２５ｂとを有し、他端側には、開口部１０ａを部分的に覆うように形成された閉鎖片部２５ｃを有する。
このシャッタ羽根２５は、前記シャッタ羽根２４に重ねられ、開口部１０ａを挟んで駆動源３０の反対側となる地板１０の一辺部側（図１によれば下辺部側）に収納される。
【００２２】
シャッタ羽根２６は、図５（ｆ）に示すように、一端側に回転軸１６に環状に装着される円形状の軸孔２６ａと、前記駆動係合部２３ｄから駆動力を受ける長孔状の被係合部２６ｂとを有し、他端側には、開口部１０ａを部分的に覆うように形成された閉鎖片部２６ｃを有する。
このシャッタ羽根２６は、前記シャッタ羽根２５に重ねられ、開口部１０ａを挟んで駆動源３０の反対側となる地板１０の一辺部側（図１によれば下辺部側）に収納される。
【００２３】
なお、シャッタ羽根２４〜２６における長孔状の各被係合部２４ｂ，２５ｂ，２６ｂは、シャッタ羽根２４〜２６の各々が駆動係合部２３ｄの円弧状の往復運動に追従してスムーズに動作するように、駆動係合部２３ｄの運動方向に交差する方向に長く形成されている。
【００２４】
そして、前記構成のシャッタ羽根２１〜２６を装着した地板１０には、シャッタ羽根２１〜２６を開閉動作可能に覆うようにしてカバー部材（図示せず）が装着される。
【００２５】
また、駆動源３０は、図３に示すように、一端側に略円形の空間を有する略Ｖ字状のヨーク３１と、該ヨーク３１の一片側に巻回されたコイル３２と、該ヨーク３１の前記一端側の空間に回動自在に保持されたロータ３３とを具備してなる直流モータである。ロータ３３は、遠心方向へ突出する腕部３３ａを有し、この腕部３３ａの先端側に、回転軸方向に平行して突出する駆動ピン３３ａ１を有する。
この駆動源３０は、前記駆動ピン３３ａ１を地板１０のピン挿通孔１０ｂに遊挿した状態で、地板１０におけるシャッタ羽根装着面の裏側の面に装着される。
【００２６】
次に、上記構成のカメラ用シャッタ機構１について、その作用効果を詳述する。
先ず、図１に示すように、駆動ピン３３ａ１を、ピン挿通孔１０ｂ内において開口部１０ａの反対側（図１によれば上側）に寄せた状態では、駆動源３０に近い方のシャッタ羽根２１〜２３が、それぞれ駆動ピン３３ａ１との係合によって収納位置に保持され、同時に、駆動源３０から遠い方のシャッタ羽根２４〜２６が、それぞれ駆動係合部２３ｄとの係合によって収納位置に保持される。
【００２７】
そして、駆動源３０への通電により駆動ピン３３ａ１がピン挿通孔１０ｂ内を開口部１０ａ側に移動した際には、駆動源３０に近い方のシャッタ羽根２１〜２３が、それぞれ駆動ピン３３ａ１から駆動力を受けて閉鎖動作し、同時に、駆動源３０から遠い方のシャッタ羽根２４〜２６が、それぞれ駆動用シャッタ羽根２３の駆動係合部２３ｄから駆動力を受けて閉鎖動作する。
より詳細に説明すれば、シャッタ羽根２１及び２２は、一方向（図２によれば時計方向）へ回動して、それぞれ開口部１０ａを部分的に覆う。また、駆動用シャッタ羽根２３は、逆方向（図２によれば反時計方向）へ回動して、開口部１０ａを部分的に覆う。
また、シャッタ羽根２４〜２６は、前記一方向へ回動して、それぞれ開口部１０ａを部分的に覆う。したがって、これら複数のシャッタ羽根２１〜２６によって開口部１０ａが全閉状態となる。
【００２８】
また、駆動源３０への逆電流の通電により駆動ピン３３ａ１がピン挿通孔１０ｂ内を開口部１０ａから離れる方向へ移動した際には、前記と逆の動作により、シャッタ羽根２１〜２６の各々が開放動作する。
【００２９】
よって、上記構成のカメラ用シャッタ機構１によれば、複数のシャッタ羽根２１〜２６を、開口部１０ａを挟んで駆動源３０の反対側となる位置と、該位置よりも駆動源３０に近い位置とに配分して収納するようにしているため、複数のシャッタ羽根の重なり合いや、シャッタ羽根と駆動源との重なり合いにより、当該カメラ用シャッタ機構１の厚みが部分的に増大するようなことを軽減することができる。
その上、駆動源３０から遠い方のシャッタ羽根２４〜２６を駆動用シャッタ羽根２３によって駆動するようにしているため、シャッタ羽根２４〜２６を駆動するためのレバー部材を具備する必要がなく、したがって、レバー部材の設置スペースや作動スペースを確保する必要がなく、小型で省スペースな構成とすることができる。
また、複数のシャッタ羽根２１〜２６の回転軸１１〜１６を、駆動源３０に近い位置と、駆動源３０から離れた位置とに配分して設けるとともに、駆動源３０に近い方の一部のシャッタ羽根２３を他のシャッタ羽根とは逆方向へ回動するようにしているため、一部のシャッタ羽根の回動量が極端に大きくなるようなことを防いで、これらシャッタ羽根の動作を安定させることができる。
【００３０】
次に、本発明に係る第２の実施形態であるカメラ用シャッタ機構２について、図６〜９を参照して説明する。
なお、このカメラ用シャッタ機構２は、上述したカメラ用シャッタ機構１の構成を一部変更したものであるため、上記カメラ用シャッタ機構１と同一の構成部分については重複する詳細説明を省略する。
【００３１】
カメラ用シャッタ機構２は、上記構成のカメラ用シャッタ機構１に対し、複数のシャッタ羽根２１〜２６を、複数のシャッタ羽根４１〜４６及び作動杆４７に置換したものである。
【００３２】
シャッタ羽根４１は、駆動源３０による駆動力を受けて回動しながら、駆動源３０に近い位置に収納される他のシャッタ羽根４２を駆動する駆動用シャッタ羽根である。
この駆動用シャッタ羽根４１は、図８（ａ）に示すように、略Ｌ字形の薄板状に形成され、その一端側に、回転軸１１に環状に装着される円形状の軸孔４１ａと、駆動ピン３３ａ１に環状に装着される長孔状のピン孔４１ｂと、他のシャッタ羽根４２を駆動する軸状の駆動係合部４１ｄとを有するとともに、他端側に閉鎖片部４１ｃを有する。
前記ピン孔４１ｂは、シャッタ羽根４１が駆動ピン３３ａ１の円弧状の往復運動に追従してスムーズに動作するように、駆動ピン３３ａ１の運動方向に交差する方向に長く形成されている。
軸孔４１ａと駆動係合部４１ｄとの距離は、軸孔４１ａとピン孔４１ｂとの距離よりも大きく設定することで、駆動源３０の駆動ピン３３ａ１の変位量よりも駆動係合部４１ｄの変位量が大きくなるようにしている。
この駆動用シャッタ羽根４１は、他のシャッタ羽根４２〜４６よりも肉厚に形成されることで、該シャッタ羽根４１を強度アップして、カメラ用シャッタ機構２の耐久性を向上している。
そして、前記構成のシャッタ羽根４１は、他のシャッタ羽根４２〜４６の最下位に配置され、地板１０において駆動源３０を有する一辺部側に直交する一辺部側（図６によれば右辺部側）に収納される。
【００３３】
また、シャッタ羽根４２は、図８（ｂ）に示すように、略矩形薄板状に形成され、その一端側に、回転軸１３に環状に装着される円形状の軸孔４２ａと、駆動用シャッタ羽根４１の駆動係合部４１ｄに環状に装着される長孔状の被係合部４２ｂとを有するとともに、他端側に、閉鎖片部４２ｃを有する。
前記ピン孔４２ｂは、シャッタ羽根４２が駆動係合部４１ｄの円弧状の往復運動に追従してスムーズに動作するように、駆動係合部４１ｄの運動方向に交差する方向に長く形成されている。
そして、このシャッタ羽根４２は、前記駆動用シャッタ羽根４１上に重ねられ、地板１０において駆動源３０を有する一辺部側に直交する一辺部側（図６によれば右辺部側）に収納される。
【００３４】
また、シャッタ羽根４３は、上述した第１の実施形態におけるシャッタ羽根２２と同一形状の羽根であり、図８（ｃ）に示すように、その一端側に、回転軸１２に環状に装着される円形状の軸孔４３ａと、駆動ピン３３ａ１に環状に装着される長孔状のピン孔４３ｂを有するとともに、他端側に、閉鎖片部４３ｃを有する。
そして、このシャッタ羽根４３は、前記シャッタ羽根４２上に重ねられ、地板１０において駆動源３０を有する一辺部側に直交する一辺部側（図６によれば右辺部側）に収納される。
【００３５】
また、シャッタ羽根４４〜４６は、それぞれ、上述した第１の実施形態におけるシャッタ羽根２４〜２６と同一形状の羽根であり（図５参照）、軸孔４４ａ，４５ａ，４６ａ、ピン孔４４ｂ，４５ｂ，４６ｂ、閉鎖片部４４ｃ，４５ｃ，４６ｃを有する。
シャッタ羽根４４は後述する作動杆４７に重ねられ、さらに、このシャッタ羽根４４にはシャッタ羽根４５が重ねられ、シャッタ羽根４５にはシャッタ羽根４６が重ねられる。
そして、これらシャッタ羽根４４〜４６の軸孔４４ａ，４５ａ，４６ａは、それぞれ、回転軸１４，１５，１６に環状に装着される。
また、これらシャッタ羽根４４〜４６のピン孔４４ｂ，４５ｂ，４６ｂは、後述する作動杆４７の駆動係合部４７ｄに環状に装着される。
【００３６】
作動杆４７は、駆動源３０による駆動力を受けて回動しながら、開口部１０ａを挟むようにして駆動源３０の反対側に収納されるシャッタ羽根４４〜４６を駆動する。
詳細に説明すれば、この作動杆４７は、図９に示すように、その一端側に、回転軸１３に環状に装着される円形状の軸孔４７ａと、駆動ピン３３ａ１に環状に装着される長孔状のピン孔４７ｂを有する。この作動杆４７は、地板１０を閉鎖するための閉鎖片部を具備せず、地板１０において駆動源３０を有する一辺部側に直交する一辺部側（図６によれば右辺部側）に収納され、該地板１０面から開口部１０ａ側へ突出しないように円弧状の往復運動をする。
この作動杆４７は、シャッタ羽根４１〜４６よりも肉厚に形成されることで、該作動杆４７を強度アップして、カメラ用シャッタ機構２の耐久性を向上している。
【００３７】
次に、上記構成のカメラ用シャッタ機構２について、その作用効果を詳述する。
先ず、図６に示すように、駆動ピン３３ａ１を、ピン挿通孔１０ｂ内において開口部１０ａの反対側（図６によれば上側）に寄せた状態では、駆動源３０に近い方の一部のシャッタ羽根４１，４３及び作動杆４７が、それぞれ駆動ピン３３ａ１との係合によって収納位置に保持され、同時に、シャッタ羽根４２が駆動用シャッタ羽根４１の駆動係合部４１ｄとの係合によって収納位置に保持され、さらに、駆動源３０から遠い方のシャッタ羽根４４〜４６が、それぞれ作動杆４７の駆動係合部４７ｄとの係合によって収納位置に保持される。
【００３８】
そして、駆動源３０への通電により駆動ピン３３ａ１がピン挿通孔１０ｂ内を開口部１０ａ側に移動した際には、駆動源３０に近い方の一部のシャッタ羽根４１，４３が、それぞれ駆動ピン３３ａ１から駆動力を受けて一方向（図７によれば時計方向）へ回動し閉鎖位置となり、同時に、作動杆４７が駆動ピン３３ａ１からの駆動力を受けて逆方向（図７によれば反時計方向）へ回動する。
したがって、駆動源３０に近い方のもう一つのシャッタ羽根４２は、駆動用シャッタ羽根４１の駆動係合部４１ｄの駆動力を受けて前記一方向へ回動し閉鎖位置となる。一方、駆動源３０から遠い方のシャッタ羽根４４〜４６は、それぞれ作動杆４７の駆動係合部４７ｄの駆動力を受けて前記一方向へ回動し閉鎖位置となる。
よって、複数のシャッタ羽根４１〜４６によって開口部１０ａが全閉状態となる。
また、駆動源３０への逆電流の通電により駆動ピン３３ａ１がピン挿通孔１０ｂ内を開口部１０ａから離れる方向へ移動した際には、前記と逆の動作が行われる。
【００３９】
上記構成のカメラ用シャッタ機構２によれば、複数のシャッタ羽根４１〜４６を、開口部１０ａを挟んで駆動源３０の反対側となる位置と、該位置よりも駆動源３０に近い位置とに配分して収納するようにしているため、複数のシャッタ羽根の重なり合いや、シャッタ羽根と駆動源との重なり合いにより、当該カメラ用シャッタ機構２の厚みが部分的に増大するようなことを軽減することができる。
その上、駆動源３０に近い一部のシャッタ羽根４１，４３と作動杆４７を駆動源３０によって直接的に駆動するとともに、駆動源３０に近い他の一部のシャッタ羽根４２を駆動用シャッタ羽根４１によって間接的に駆動し、さらに、駆動源３０から離れたシャッタ羽根４４〜４６を作動杆４７によって間接的に駆動するようにしているため、すなわち、駆動箇所を分散する構成としているため、例えば一つの駆動ピンによって全てのシャッタ羽根を駆動するようにした構成と比較し、応力集中の発生を緩和し、耐久性を向上することができる。
【００４０】
なお、上記実施の形態によれば、複数のシャッタ羽根のうち、駆動用シャッタ羽根２３（又は４１）を一つだけ設けるようにしたが、他例としては、駆動用シャッタ羽根を複数設ける構成とすることも可能である。
【００４１】
また、上記実施の形態によれば、駆動源３０による駆動力を受けて回動する駆動用シャッタ羽根２３（又は４１）が、他のシャッタ羽根２４〜２６（又はシャッタ羽根４２）を駆動する構成としたが、他例としては、駆動用シャッタ羽根に駆動されるシャッタ羽根が、さらに他のシャッタ羽根を駆動する構成とすることも可能である。
【００４２】
また、上記実施の形態によれば、特に好ましい一例として、駆動源に近い位置に収納される一方のシャッタ羽根の枚数と、開口部を挟むようにして駆動源の反対側に収納される他方のシャッタ羽根の枚数を同数（３枚ずつ）としたが、他例としては、前記一方と他方の羽根枚数を異なるようにしてもよい。また、シャッタ羽根の枚数は、図示例（６枚）に限定されるものでなく、６枚以上又は６枚以下とすることが可能である。
【００４３】
また、上記実施の形態によれば、凸状の駆動係合部２３ｄ（又は４７ｄ）を孔状の被係合部２４ｂ，２５ｂ，２６ｂ（又は４４ｂ，４５ｂ，４６ｂ）に嵌め合わせる構造としたが、その凹凸関係を逆にして、孔状の駆動係合部を凸状の被係合部に嵌め合わせる構造とすることも可能である。同様に、各シャッタ羽根の軸孔と地板１０の回転軸との関係、各シャッタ羽根のピン孔と駆動ピン３３ａ１との関係についても、その凹凸関係を逆にすることが可能である。
【００４４】
また、上記実施の形態によれば、好ましい態様として、駆動源３０に回転式の電動モータを用いたが、駆動源３０の他例としては、リニアモータや電磁ソレノイド等を用いた機構とすることも可能である。
【符号の説明】
【００４５】
１，２：カメラ用シャッタ機構
１０：地板
１０ａ：開口部
１０ｂ：ピン挿通孔
１１〜１６：回転軸
２１，２２，２４〜２６，４２〜４６：シャッタ羽根
２３，４１：駆動用シャッタ羽根
２３ｄ，４１ｄ，４７ｄ：駆動係合部
３０：駆動源
３３ａ１：駆動ピン
４７：作動杆
【図１】
2012078502.tif 000003
【図２】
2012078502.tif 000004
【図３】
2012078502.tif 000005
【図４】
2012078502.tif 000006
【図５】
2012078502.tif 000007
【図６】
2012078502.tif 000008
【図７】
2012078502.tif 000009
【図８】
2012078502.tif 000010
【図９】
2012078502.tif 000011